(57)【特許請求の範囲】
【請求項１】
位置測定を起動する無線デバイスのための方法であって、前記方法は、前記無線デバイスによって実行され、前記方法は、
前記無線デバイスが、独立位置測定を実行するプロセッサを起動するための１つ以上の無線リンク失敗基準を含む構成情報を受信することと、
前記無線デバイスが、前記構成情報に従って、前記プロセッサを動作させることと
を含み、
前記プロセッサを起動するための前記１つ以上の無線リンク失敗基準は、規定された無線リンク失敗頻度を含み、前記規定された無線リンク失敗頻度以上である場合に、独立位置測定を実行する前記プロセッサが起動される、方法。
【請求項２】
前記構成情報に従って、前記プロセッサを動作させることは、
ある時間周期の間にカウントされた無線リンク失敗の数が、前記規定された無線リンク失敗頻度以上である場合に、前記無線デバイスが、前記プロセッサを起動することと、
後続無線リンク失敗が検出されると、前記無線デバイスが、前記プロセッサを用いて、独立位置測定を実行することと
を含む、請求項１に記載の方法。
【請求項３】
前記規定された無線リンク失敗頻度は、無線リンク失敗の数および時間周期として規定される、請求項１に記載の方法。
【請求項４】
前記構成情報は、前記プロセッサを停止するための１つ以上の無線リンク失敗基準をさらに含む、請求項１に記載の方法。
【請求項５】
前記プロセッサを起動するための前記１つ以上の無線リンク失敗基準は、第１の規定された無線リンク失敗頻度を含み、前記第１の規定された無線リンク失敗頻度以上である場合に、独立位置測定を実行する前記プロセッサが起動され、前記プロセッサを停止するための１つ以上の無線リンク失敗基準は、第２の規定された無線リンク失敗頻度を含み、前記第２の規定された無線リンク失敗頻度以下である場合に、独立位置測定を実行する前記プロセッサが停止され、前記第２の規定された無線リンク失敗頻度は、前記第１の規定された無線リンク失敗頻度と異なる、請求項４に記載の方法。
【請求項６】
前記構成情報に従って、前記プロセッサを動作させることは、
第１の時間周期の間にカウントされる無線リンク失敗の第１の数が、前記第１の規定された無線リンク失敗頻度以上である場合に、前記無線デバイスが、前記プロセッサを起動することと、
第２の時間周期の間にカウントされる無線リンク失敗の第２の数が、前記第２の規定された無線リンク失敗頻度以下である場合に、前記無線デバイスが、前記プロセッサを停止することと
を含む、請求項５に記載の方法。
【請求項７】
前記構成情報に従って、前記プロセッサを動作させることはさらに、規定された起動周期が満了する、異なる無線アクセス技術（ＲＡＴ）へのハンドオーバが発生する、または前記プロセッサが、異なる公衆移動通信網（ＰＬＭＮ）に移動する、のうちの少なくとも１つの場合に、前記無線デバイスが、前記プロセッサを停止することを含む、請求項６に記載の方法。
【請求項８】
前記第１の規定された無線リンク失敗頻度は、無線リンク失敗の第１の数および第１の時間周期として規定され、前記第２の規定された無線リンク失敗頻度は、無線リンク失敗の第２の数および第２の時間周期として規定される、請求項５に記載の方法。
【請求項９】
前記プロセッサは、全地球的航法衛星システム（ＧＮＳＳ）プロセッサである、請求項１に記載の方法。
【請求項１０】
プログラムが記録されたコンピュータ読み取り可能な記憶媒体であって、前記プログラムは、
独立位置測定を実行する第２のプロセッサを起動するための１つ以上の無線リンク失敗基準を含む構成情報を受信することと、
前記構成情報に従って、前記第２のプロセッサを動作させることと
を含む方法を実行することを第１のプロセッサに行わせ、
前記第２のプロセッサを起動するための前記１つ以上の無線リンク失敗基準は、規定された無線リンク失敗頻度を含み、前記規定された無線リンク失敗頻度以上である場合に、独立位置測定を実行する前記第２のプロセッサが起動される、コンピュータ読み取り可能な記憶媒体。
【請求項１１】
前記構成情報は、前記第２のプロセッサを停止するための１つ以上の無線リンク失敗基準をさらに含む、請求項１０に記載のコンピュータ読み取り可能な記憶媒体。
【請求項１２】
前記第２のプロセッサを起動するための前記１つ以上の無線リンク失敗基準は、第１の規定された無線リンク失敗頻度を含み、前記第１の規定された無線リンク失敗頻度以上である場合に、独立位置測定を実行する前記第２のプロセッサが起動され、前記第２のプロセッサを停止するための１つ以上の無線リンク失敗基準は、第２の規定された無線リンク失敗頻度を含み、前記第２の規定された無線リンク失敗頻度以下である場合に、独立位置測定を実行する前記第２のプロセッサが停止され、前記第２の規定された無線リンク失敗頻度は、前記第１の規定された無線リンク失敗頻度と異なる、請求項１１に記載のコンピュータ読み取り可能な記憶媒体。
【請求項１３】
前記プログラムは、
第１の時間周期の間にカウントされる無線リンク失敗の第１の数が、前記第１の規定された無線リンク失敗頻度以上である場合に、前記第２のプロセッサを起動することと、
前記第２のプロセッサが起動された後、後続無線リンク失敗が検出されると、前記第２のプロセッサを用いて、独立位置測定を実行することと、
第２の時間周期の間にカウントされる無線リンク失敗の第２の数が、前記第２の規定された無線リンク失敗頻度以下である場合に、前記第２のプロセッサを停止することと
をさらに含む方法を実行することを前記第１のプロセッサに行わせる、請求項１２に記載のコンピュータ読み取り可能な記憶媒体。
【請求項１４】
位置測定を起動する装置であって、前記装置は、
第１のプロセッサであって、
全地球的航法衛星システム（ＧＮＳＳ）プロセッサを起動するための１つ以上の無線リンク失敗基準を含む構成情報を受信することと、
前記構成情報に従って、前記ＧＮＳＳプロセッサを動作させることと
を行うように構成されている第１のプロセッサと、
前記ＧＮＳＳプロセッサによって判定される位置測定を記憶するメモリと
を含み、
前記ＧＮＳＳプロセッサを起動するための前記１つ以上の無線リンク失敗基準は、規定された無線リンク失敗頻度を含み、前記規定された無線リンク失敗頻度以上である場合に、前記ＧＮＳＳプロセッサが起動される、装置。
【請求項１５】
前記第１のプロセッサは、
ある時間周期の間にカウントされる無線リンク失敗の数が、前記規定された無線リンク失敗頻度以上である場合に、前記ＧＮＳＳプロセッサを起動することと、
前記ＧＮＳＳプロセッサを呼び出し、後続無線リンク失敗が検出されると、独立位置測定を実行することと
を行うようにさらに構成されている、請求項１４に記載の装置。
【請求項１６】
前記構成情報は、前記ＧＮＳＳプロセッサを停止するための１つ以上の無線リンク失敗基準をさらに含む、請求項１４に記載の装置。
【請求項１７】
前記ＧＮＳＳプロセッサを起動するための前記１つ以上の無線リンク失敗基準は、第１の規定された無線リンク失敗頻度を含み、前記第１の規定された無線リンク失敗頻度以上である場合に、前記ＧＮＳＳプロセッサが起動され、前記ＧＮＳＳプロセッサを停止するための前記１つ以上の無線リンク失敗基準は、第２の規定された無線リンク失敗頻度を含み、前記第２の規定された無線リンク失敗頻度以下である場合に、前記ＧＮＳＳプロセッサが停止される、請求項１６に記載の装置。
【請求項１８】
前記第１のプロセッサは、
第１の時間周期の間にカウントされる無線リンク失敗の第１の数が、前記第１の規定された無線リンク失敗頻度以上である場合に、前記ＧＮＳＳプロセッサを起動することと、
第２の時間周期の間にカウントされる無線リンク失敗の第２の数が、前記第２の規定された無線リンク失敗頻度以下である場合に、前記ＧＮＳＳプロセッサを停止することと
を行うようにさらに構成されている、請求項１７に記載の装置。
【発明の詳細な説明】
【技術分野】
【０００１】
本開示は、概して、測定報告に関し、より具体的には、位置測定を起動するための方法および装置に関する。
【背景技術】
【０００２】
現在、モバイル通信ネットワークオペレータは、多くの場合、継続的または少なくとも頻繁に、ネットワーク性能測定基準を収集するために、ドライブテストを行う。第３世代パートナーシッププロジェクト（３ＧＰＰ）は、専用ドライブテストを要求する代わりに、ネットワーク内で動作する市販のユーザ機器（ＵＥ）から、少なくともいくつかのドライブテスト測定を収集することができる、ドライブテストの最小化（ＭＤＴ）フレームワークの規定を開始している。ＭＤＴフレームワークの使用を通して、徹底したドライブテストの必要性およびその回数が、低減され得、これは、オペレータにとって、有意に、ネットワーク保守コストを削減し、また、炭素放出を減少させ、それによって、環境保護に役立ち得る。加えて、別個のドライブテストへの依存を低減させることによって、より高速な最適化サイクルが、達成され、それによって、より高い顧客満足をもたらし得る。さらに、ＭＤＴフレームワークは、オペレータに、典型的には、ドライブテストの間にアクセスされないエリア（例えば、狭い道路、森林、私有地、住宅、およびオフィス等）から測定を収集することを可能にし得る。
【発明の概要】
【課題を解決するための手段】
【０００３】
位置測定を起動する方法および装置が、本明細書に開示される。本明細書に開示される例示的方法は、ＵＥが、独立位置測定がＵＥによって行われるように構成するために、モバイル通信ネットワーク内のネットワーク要素から構成情報を受信するステップを伴う（例えば、報告されたＭＤＴ測定における位置情報を含むため）。ネットワーク要素からＵＥによって受信される構成情報は、全地球的航法衛星システム（ＧＮＳＳ）プロセッサを起動するため（または、独立位置測定を行うための他のプロセッサ）の１つ以上の無線リンク失敗基準を含む。例示的方法はまた、ＵＥが、構成情報に従って、ＧＮＳＳプロセッサを動作させるステップを伴う。
【０００４】
いくつかの実施例では、ＧＮＳＳプロセッサを起動するための１つ以上の無線リンク失敗基準は、第１の規定された無線リンク失敗頻度を含み、それ以上の時、ＧＮＳＳプロセッサが、起動される。加えて、または代替として、いくつかの実施例では、構成情報は、ＧＮＳＳプロセッサを停止するための１つ以上の無線リンク失敗基準を含む。そのような実施例では、ＧＮＳＳプロセッサを停止するための１つ以上の無線リンク失敗基準は、第２の規定された無線リンク失敗頻度を含み、それ以下の時、ＧＮＳＳプロセッサが、停止される。いくつかの実施例では、第２の規定された無線リンク失敗頻度は、第１の規定された無線リンク失敗頻度と異なることができる。さらに、いくつかの実施例では、構成情報に従って、ＧＮＳＳプロセッサを動作させるステップは、第１の時間周期の間にカウントされる無線リンク失敗の第１の数が、第１の規定された無線リンク失敗頻度以上である時、ＧＮＳＳプロセッサを起動するステップと、ＧＮＳＳプロセッサが起動された後、後続無線リンク失敗が、検出されると、ＧＮＳＳプロセッサを使用して、独立位置測定を行うステップと、第２の時間周期の間にカウントされる無線リンク失敗の第２の数が、第２の規定された無線リンク失敗頻度以下である時、ＧＮＳＳプロセッサを停止するステップと、を伴う。
【０００５】
前述のように、ＭＤＴ測定フレームワークは、専用ドライブテストを要求する代わりに、または少なくとも低減させ、ネットワーク内で動作する市販のＵＥを使用して、ネットワーク性能の監視を可能にする。ネットワーク内のトラブルスポットを特定するために、ＵＥによって返されるＭＤＴ測定は、可能である場合、正確な位置情報を含むはずである。しかしながら、位置判定のためのネットワーク支援が、利用不可能である、無線リンク失敗シナリオでは、独立位置測定を行うことを可能にする（例えば、ネットワーク支援を伴わずに）ＵＥ内のＧＮＳＳプロセッサ（または、類似測位プロセッサ）を起動することは、非常に時間がかかり得る。本起動時間は、ＧＮＳＳプロセッサが起動されている間、ＵＥが、トラブルスポットの位置から離れ得るため、位置測定の精度を低下させ得る。本明細書に説明される例示的方法および装置の少なくともいくつかは、トラブルスポットに到達する前に、またはトラブルスポットのエッジにおいて、ＧＮＳＳプロセッサを起動することによって、位置測定の精度を改善することができる。加えて、説明される例示的方法および装置の少なくともいくつかは、トラブルスポットから出るのに伴って、ＧＮＳＳプロセッサの即時停止を可能にし、それによって、ＵＥ電力消費およびバッテリ寿命に及ぼす位置測定の影響を低減させる。
例えば、本願発明は以下の項目を提供する。
（項目１）
位置測定を起動する無線デバイスのための方法であって、
前記方法は、
独立位置測定を行うために、プロセッサを起動するための１つ以上の無線リンク失敗基準を含む、構成情報を受信することと、
前記構成情報に従って、前記プロセッサを動作させることと
を含む、方法。
（項目２）
前記プロセッサを起動するための前記１つ以上の無線リンク失敗基準は、規定された無線リンク失敗頻度を含み、それ以上の時、独立位置測定を行うための前記プロセッサが、起動される、項目１に記載の方法。
（項目３）
前記構成情報に従って、前記プロセッサを動作させることは、
ある時間周期の間にカウントされた無線リンク失敗の数が、前記規定された無線リンク失敗頻度以上である時、前記プロセッサを起動することと、
後続無線リンク失敗が検出されると、前記プロセッサを使用して、独立位置測定を行うことと
を含む、項目２に記載の方法。
（項目４）
前記規定された無線リンク失敗頻度は、無線リンク失敗の数および時間周期として規定される、項目２に記載の方法。
（項目５）
前記構成情報はさらに、前記プロセッサを停止するための１つ以上の無線リンク失敗基準を含む、項目１に記載の方法。
（項目６）
前記プロセッサを起動するための前記１つ以上の無線リンク失敗基準は、第１の規定された無線リンク失敗頻度を含み、それ以上の時、独立位置測定を行うための前記プロセッサが、起動され、前記プロセッサを停止するための１つ以上の無線リンク失敗基準は、第２の規定された無線リンク失敗頻度を含み、それ以下の時、独立位置測定を行うための前記プロセッサが、停止され、前記第２の規定された無線リンク失敗頻度は、前記第１の規定された無線リンク失敗頻度と異なる、項目５に記載の方法。
（項目７）
前記構成情報に従って、前記プロセッサを動作させることは、
第１の時間周期の間にカウントされる無線リンク失敗の第１の数が、前記第１の規定された無線リンク失敗頻度以上である時、前記プロセッサを起動することと、
第２の時間周期の間にカウントされる無線リンク失敗の第２の数が、前記第２の規定された無線リンク失敗頻度以下である時、前記プロセッサを停止することと
を含む、項目６に記載の方法。
（項目８）
前記構成情報に従って、前記プロセッサを動作させることはさらに、規定された起動周期が満了する、異なる無線アクセス技術（ＲＡＴ）へのハンドオーバが発生する、または前記プロセッサが、異なる公衆移動通信網（ＰＬＭＮ）に移動する、のうちの少なくとも１つの時、前記プロセッサを停止することを含む、項目７に記載の方法。
（項目９）
前記第１の規定された無線リンク失敗頻度は、無線リンク失敗の第１の数および第１の時間周期として規定され、前記第２の規定された無線リンク失敗頻度は、無線リンク失敗の第２の数および第２の時間周期として規定される、項目６に記載の方法。
（項目１０）
前記プロセッサは、全地球的航法衛星システム（ＧＮＳＳ）プロセッサである、項目１に記載の方法。
（項目１１）
機械可読命令を記憶する、有形製造品であって、
前記命令は、実行されると、機械に、
独立位置測定を行うために、プロセッサを起動するための１つ以上の無線リンク失敗基準を含む、構成情報を受信することと、
前記構成情報に従って、前記プロセッサを動作させることと
を行わせる、有形製造品。
（項目１２）
前記プロセッサを起動するための前記１つ以上の無線リンク失敗基準は、規定された無線リンク失敗頻度を含み、それ以上の時、独立位置測定を行うための前記プロセッサが、起動される、項目１１に記載の有形製造品。
（項目１３）
前記構成情報はさらに、前記プロセッサを停止するための１つ以上の無線リンク失敗基準を含む、項目１１に記載の有形製造品。
（項目１４）
前記プロセッサを起動するための前記１つ以上の無線リンク失敗基準は、第１の規定された無線リンク失敗頻度を含み、それ以上の時、独立位置測定を行うための前記プロセッサが、起動され、前記プロセッサを停止するための１つ以上の無線リンク失敗基準は、第２の規定された無線リンク失敗頻度を含み、それ以下の時、独立位置測定を行うための前記プロセッサが、停止され、前記第２の規定された無線リンク失敗頻度は、前記第１の規定された無線リンク失敗頻度と異なる、項目１３に記載の有形製造品。
（項目１５）
前記機械可読命令はさらに、実行されると、前記機械に、少なくとも、
第１の時間周期の間にカウントされる無線リンク失敗の第１の数が、前記第１の規定された無線リンク失敗頻度以上である時、前記プロセッサを起動することと、
前記プロセッサが起動された後、後続無線リンク失敗が検出されると、前記プロセッサを使用して、独立位置測定を行うことと、
第２の時間周期の間にカウントされる無線リンク失敗の第２の数が、前記第２の規定された無線リンク失敗頻度以下である時、前記プロセッサを停止することと
を行わせる、項目１４に記載の有形製造品。
（項目１６）
位置測定を起動する装置であって、
第１のプロセッサであって、
全地球的航法衛星システム（ＧＮＳＳ）プロセッサを起動するための１つ以上の無線リンク失敗基準を含む、構成情報を受信することと、
前記構成情報に従って、前記ＧＮＳＳプロセッサを動作させることと
を行う、第１のプロセッサと、
前記ＧＮＳＳプロセッサによって判定される位置測定を記憶するメモリと
を含む、装置。
（項目１７）
前記ＧＮＳＳプロセッサを起動するための前記１つ以上の無線リンク失敗基準は、規定された無線リンク失敗頻度を含み、それ以上の時、前記ＧＮＳＳプロセッサが、起動される、項目１６に記載の装置。
（項目１８）
前記第１のプロセッサは、
ある時間周期の間にカウントされる無線リンク失敗の数が、前記規定された無線リンク失敗頻度以上である時、前記ＧＮＳＳプロセッサを起動することと、
前記ＧＮＳＳプロセッサを呼び出し、後続無線リンク失敗が検出されると、独立位置測定を行うことと
を行う、項目１７に記載の装置。
（項目１９）
前記構成情報はさらに、前記ＧＮＳＳプロセッサを停止するための１つ以上の無線リンク失敗基準を含む、項目１６に記載の装置。
（項目２０）
前記ＧＮＳＳプロセッサを起動するための前記１つ以上の無線リンク失敗基準は、第１の規定された無線リンク失敗頻度を含み、それ以上の時、前記ＧＮＳＳプロセッサが、起動され、前記ＧＮＳＳプロセッサを停止するための前記１つ以上の無線リンク失敗基準は、第２の規定された無線リンク失敗頻度を含み、それ以下の時、前記ＧＮＳＳプロセッサが、停止される、項目１９に記載の装置。
（項目２１）
前記第１のプロセッサは、
第１の時間周期の間にカウントされる無線リンク失敗の第１の数が、前記第１の規定された無線リンク失敗頻度以上である時、前記ＧＮＳＳプロセッサを起動することと、
第２の時間周期の間にカウントされる無線リンク失敗の第２の数が、前記第２の規定された無線リンク失敗頻度以下である時、前記ＧＮＳＳプロセッサを停止することと
を行う、項目２０に記載の装置。
【図面の簡単な説明】
【０００６】
【図１】図１は、本明細書に説明される方法および装置をサポートし、ＭＤＴ位置測定を起動することが可能である、例示的３ＧＰＰ通信システムのブロック図である。
【図２】図２は、本明細書に説明される方法および装置による、図１の３ＧＰＰ通信システムにおいて、ＭＤＴ位置測定をすることが可能である、例示的ＵＥのブロック図である。
【図３】図３は、本明細書に説明される方法および装置による、図１の３ＧＰＰ通信システムにおいて、ＭＤＴ位置測定の起動を有効にすることが可能である、例示的ネットワーク要素のブロック図である。
【図４】図４は、図２のＵＥにおいて、ＭＤＴ位置測定の起動を構成するために行われ得る、例示的プロセスを表す、流れ図である。
【図５】図５は、図２のＵＥにおいて、ＭＤＴ位置測定を起動するために行われ得る、例示的プロセスを表す、流れ図である。
【図６】図６は、図３のネットワーク要素において、ＭＤＴ位置起動構成およびＭＤＴ位置測定処理を実装するために行われ得る、例示的プロセスを表す、流れ図である。
【図７】図７は、図４-６のプロセスの一部または全部を実装し、図２のＵＥ、図３のネットワーク要素、および／または図１の３ＧＰＰ通信システムを実装するために使用される、例示的機械可読命令を実行し得る、例示的処理システムのブロック図である。
【発明を実施するための形態】
【０００７】
図を参照すると、本明細書に説明されるＭＤＴ測定技法をサポートすることが可能である、例示的次世代３ＧＰＰ通信システム１００のブロック図が、図１に例証されている。通信システム１００は、汎用地上無線アクセスネットワーク（ＵＴＲＡＮ）実装におけるノード-Ｂ、進化型ＵＴＲＡＮ（Ｅ-ＵＴＲＡＮ）ロング・ターム・エボリューション（ＬＴＥ）実装における進化型ノード-Ｂ（ｅＮＢ）等、基地局機能性を提供する、ネットワーク要素によって実装される、例示的現在の（または、ホームまたはサービング）セル１１０によってサービス提供される、例示的ＵＥ１０５を含む。加えて、通信システム１００は、現在のセル１１０の近隣セルである、例示的セル１１５、１２０、および１２５を含む。例証される実施例では、近隣セル１１５、１２０、および１２５は、現在のセル１１０を実装するネットワーク要素と異なる、１つ以上のネットワーク要素によって実装される。以下に詳述されるように、現在のセル１１０を実装する、移動局１０５およびネットワーク要素は、本明細書に開示される例示的方法および装置に従って、位置測定の起動（例えば、ＭＤＴ測定報告のため）を実装する。
【０００８】
通信システム１００では、ＵＥ１０５は、携帯電話デバイス、固定電話デバイス、携帯情報端末（ＰＤＡ）、スマートフォン（例えば、Ｂｌａｃｋ  Ｂｅｒｒｙ（Ｒ）スマートフォン等）等、任意のタイプの無線デバイス、移動局、ユーザエンドポイント機器、ユーザエージェント等に対応してもよい。セル１１０-１２５はそれぞれ、ＧＥＲＡＮセル、ＵＴＲＡＮセル、Ｅ-ＵＴＲＡＮセル、ＣＤＭＡＨＲＰＤセル、ＣＤＭＡ１ｘＲＴＴセル等、任意のタイプのセルに対応してもよい（ＧＥＲＡＮは、ＧＳＭ（登録商標）／ＥＤＧＥ無線アクセスネットワークを指し、ＧＳＭ（登録商標）は、モバイル通信用グローバルシステムを指し、ＥＤＧＥは、ＧＳＭ（登録商標）進化型高速データレートを指し、ＣＤＭＡは、符号分割多重アクセスを指し、ＨＲＰＤは、高速パケットデータを指し、１ｘＲＴＴは、ＣＤＭＡ仕様に定義されるような１ｘ無線伝送技術を指す）。さらに、セル１１０-１２５の一部または全部は、同一または異なるタイプのセルであってもよい。例えば、図１では、近隣セル１１５は、ＧＥＲＡＮセルであって、近隣セル１２０は、ＵＴＲＡＮセルであって、近隣セル１２５は、Ｅ-ＵＴＲＡＮセルである。また、セル１１０-１２５はそれぞれ、基地局機能性を提供する、別個のネットワーク要素によって実装されるように描写されるが、セル１１５-１２５の一部または全部は、共通ネットワーク要素によって実装されてもよい。さらに、１つのみのＵＥ１０５および４つのセル１１０-１２５が、図１では例証されるが、３ＧＰＰ通信システム１００は、任意の数のＵＥ１０５およびセル１１０-１２５をサポートすることができる。
【０００９】
図１の例証される実施例では、ＵＥ１０５は、現在のセル１１０を実装する、ネットワーク要素によって構成されるように、１つ以上のＭＤＴ測定を行う。そのようなＭＤＴ測定の実施例として、周期的ダウンリンクパイロット測定、閾値を下回るサービングセルの測定、閾値未満の伝送電力ヘッドルームの測定、ランダムアクセス失敗測定、および無線リンク失敗報告が挙げられるが、それらに限界されず、これらは、３ＧＰＰ技術報告書（ＴＲ）３６．８０５、Ｖ２．０．０（２００９年１２月）に説明され、参照することによって、全体として本明細書に組み込まれる。概略すると、周期的ダウンリンクパイロット測定の場合、共通パイロットチャネル（ＣＰＩＣＨ）受信信号コード電力（ＲＳＣＰ）、ＣＰＩＣＨＥｃ／Ｎｏ、時分割二重（ＴＤＤ）一次共通制御物理チャネル（Ｐ-ＣＣＰＣＨ）ＲＳＣＰおよび干渉信号コード電力（ＩＳＣＰ）、基準信号受信電力（ＲＳＲＰ）、および基準信号受信品質（ＲＳＲＱ）（例えば、接続モードのみにおいて）等の無線環境測定のログが、接続モード、アイドルモード、または両方において、周期的に記録される。周期的ダウンリンクパイロット測定のための構成情報は、規定された測定周期を含み、周期的ダウンリンクパイロット測定報告は、無線環境測定、ならびに測定が行われた時および位置を規定する時間および位置情報と、特定の報告される測定と関連付けられたセルを識別するセル識別情報を含む。閾値を下回るサービングセルの測定の場合、前述のもの等の無線環境測定、ならびに測定されたサービングセル測定基準が、構成される閾値を下回る時の位置およびセル識別情報のログが、記録される。測定ログ記録ウィンドウ（例えば、「スライディングウィンドウ」等であって、収集されたログは、ＵＥ内に維持される）を使用して、イベント発生前および後のある周期の間、情報を収集する。閾値未満の伝送電力ヘッドルームの測定の場合、伝送電力ヘッドルームおよび前述のもの等の無線環境測定、ならびにＵＥ伝送電力ヘッドルームが、構成される閾値未満となる時の位置およびセル識別情報のログが、記録される。ランダムアクセス失敗測定の場合、ランダムアクセスに関する詳細および前述のもの等の無線環境測定、ならびにランダムアクセス失敗が発生する時の位置およびセル識別情報のログが、記録される。無線リンク失敗報告の場合、前述のもの等の無線環境測定、ならびに無線リンク失敗（ＲＬＦ）が発生する時の位置およびセル識別情報が、報告される。
【００１０】
３ＧＰＰ通信システム１００は、本明細書に説明される例示的方法および装置を採用し、例えば、ＵＥ１０５によって報告されるＭＤＴ測定を含有またはその関連付けのために、ＵＥ位置情報（また、測位情報とも称される）を取得する。電力の影響を低減するために、例示的方法および装置は、ＵＥ１０５が、有意な無線リンク失敗を呈する、非有効範囲のエリアに入る等、問題エリアまたはトラブルスポットに遭遇すると、ＵＥ１０５において、位置測定（また、測位手順、測位測定、位置手順等とも称される）の起動を試行し、ＵＥ１０５が、問題エリアから回復すると、位置測定を停止する。非または不良有効範囲のエリア内において位置測定を行う困難性、または有意な無線リンク失敗は、ＵＥ１０５が、ネットワークからの支援を受けて、位置測定を行うことは不可能であり得るということである。そのようなシナリオでは、独立位置測定を行うためのＧＮＳＳプロセッサまたは他のプロセッサが、ＵＥ１０５によって使用され、ネットワーク支援を受けて、位置測定を行い、ログを記録してもよい。しかしながら、ＧＮＳＳプロセッサ（または、類似測位プロセッサ）を起動するステップは、非常に時間がかかり、それによって、ＧＮＳＳプロセッサが起動されている間、ＵＥ１０５が、トラブルスポットの位置から離れ得るため、位置測定の精度を低下させ得る。加えて、ＧＮＳＳプロセッサの起動は、ＵＥバッテリ電力を消費し、ＵＥ１０５のバッテリ寿命を短縮させ得る。
【００１１】
ＵＥ１０５におけるＧＮＳＳ処理または他の位置測定処理が、起動され、必要に応じて、位置測定を行うために備え、必要とされない時は、停止されることを確実するために、通信システム１００は、ＵＥ１０５において、ＧＮＳＳ処理（または、より一般的には、任意の独立位置測定処理）を起動するための１つ以上の無線リンク失敗基準によって、ＵＥ１０５を構成する。いくつかの実施例では、ＵＥ１０５において、ＧＮＳＳ処理を起動する（例えば、ＧＮＳＳプロセッサを起動することによって）ための１つ以上の無線リンク失敗基準は、ＵＥ１０５に提供されるＭＤＴ構成情報内に含まれる。例えば、ＧＮＳＳ処理を起動するための１つ以上の無線リンク失敗基準は、第１の規定された無線リンク失敗頻度を含むことができ、それ以上の時、ＵＥ１０５におけるＧＮＳＳ処理が、起動される。加えて、または代替として、いくつかの実施例では、ＵＥ１０５に提供されるＭＤＴ構成情報は、ＵＥ１０５において、ＧＮＳＳ処理（または、より一般的には、任意の独立位置測定処理）を停止するための１つ以上の無線リンク失敗基準を含む。そのような実施例では、ＧＮＳＳ処理を停止するための１つ以上の無線リンク失敗基準は、第２の規定された無線リンク失敗頻度を含むことができ、それ以下の時、ＧＮＳＳ処理が、停止される。さらに、いくつかの実施例では、第２の規定された無線リンク失敗頻度は、第１の規定された無線リンク失敗頻度と異なることができる。
【００１２】
通信システム１００は、ＭＤＴ構成情報（例えば、ＧＮＳＳ処理を起動するための１つ以上の無線リンク失敗基準と、ＧＮＳＳ処理を停止するための１つ以上の無線リンク失敗基準を含む）をＵＥ１０５に提供するための１つ以上の技法を採用することができる。一実施例では、サービングセル１１０は、制御プレーン信号伝達を使用して、ＭＤＴ構成情報をＵＥ１０５に送信する。例えば、接続モードでは、無線リソース制御（ＲＲＣ）接続が、ＵＥ１０５とサービングセル１１０との間に存在し、測定制御または再構成メッセージ等のＲＲＣメッセージを使用して、ＭＤＴ構成情報をネットワークからＵＥ１０５に送信することができる。加えて、または代替として、ＭＤＴ構成情報は、サービングセル１１０内のシステム情報ブロードキャストに含むことができる。加えて、または代替として、サービングセル１１０は、ユーザプレーン信号伝達を使用して、ＭＤＴ構成情報をＵＥ１０５に送信することができる。例えば、１つ以上のショートメッセージサービス（ＳＭＳ）メッセージ、１つ以上の電子メール、１つ以上のＢｌａｃｋ  Ｂｅｒｒｙ（Ｒ）個人識別番号（ＰＩＮ）メッセージ等を使用する、動的無線通信経由構成を使用して、ＭＤＴ構成情報をネットワークからＵＥ１０５に送信することができる。ログ記録位置測定等のログ記録ＭＤＴ測定の場合、ＭＤＴ測定構成は、ＵＥ１０５が、接続モードを離れ、アイドルモードに入った後も持続し、ＵＥ１０５が、アイドルモードの間、ＭＤＴ測定（例えば、位置測定を含む）を行い、後に、ＵＥ１０５が、接続状態に再び入り、そのサービングセル（例えば、サービングセル１１０）との無線接続を確立すると、ログ記録測定を報告することを可能にする。ＭＤＴ構成情報をＵＥ１０５に送信するための異なる技法と同様に、ＵＥ１０５は、制御プレーン信号伝達（例えば、ＲＲＣメッセージ）および／またはユーザプレーンメッセージ（例えば、ＳＭＳメッセージ、電子メール、ＰＩＮメッセージ等）を使用して、ログ記録ＭＤＴ測定（例えば、ログ記録位置測定を含む）をネットワークに報告することができる。
【００１３】
いくつかの実施例では、ＵＥ１０５が、ＧＮＳＳ処理を起動するための１つ以上の無線リンク失敗基準およびＧＮＳＳ処理を停止するための１つ以上の無線リンク失敗基準を含有する、ＭＤＴ構成情報を処理後、ＵＥ１０５は、次いで、ＭＤＴ構成情報に従って、ＧＮＳＳ処理を行う（例えば、そのＧＮＳＳプロセッサを動作させることによって）。例えば、ＵＥ１０５は、第１の時間周期の間にカウントされる無線リンク失敗の第１の数が、第１の規定された無線リンク失敗頻度以上である時、ＧＮＳＳ処理を起動する（例えば、そのＧＮＳＳプロセッサを起動することによって）。ＵＥ１０５は、次いで、ＧＮＳＳ処理をトリガし、後続無線リンク失敗が検出されると、１つ以上の位置測定を行う（例えば、その起動されたＧＮＳＳプロセッサを使用して）。いくつかの実施例では、ＵＥ１０５は、第２の時間周期の間にカウントされる無線リンク失敗の第２の数が、第２の規定された無線リンク失敗頻度以下である時（前述のように、第１の規定された無線リンク失敗頻度と異なってもよい）、ＧＮＳＳ処理を停止する（例えば、そのＧＮＳＳプロセッサを停止することによって）。
【００１４】
図１のＵＥ１０５の例示的実装のブロック図は、図２に例証される。図２は、本明細書に説明される例示的方法および装置に従って、位置測定を起動し、行うステップと関連付けられる、ＵＥ１０５の一部を例証する。他の機能性と関連付けられたＵＥ１０５のそれらの部分は、明確にするために、省略される。
【００１５】
図２を参照すると、ＵＥ１０５の例証される例示的実装は、例示的測定構成プロセッサ２０５を含み、前述のように、かつ以下にさらに詳述されるように、（例えば、ＧＮＳＳプロセッサ２１０を起動することによって）ＧＮＳＳ処理を起動するための１つ以上の無線リンク失敗基準および／または（例えば、ＧＮＳＳプロセッサ２１０を停止することによって）ＧＮＳＳ処理を停止するための１つ以上の無線リンク失敗基準を含む、ＭＤＴ測定構成情報を受信する。図２のＵＥ１０５はまた、例示的ＧＮＳＳプロセッサ２１０を含み、測定構成プロセッサ２０５によって受信されたＭＤＴ構成情報に従って、位置測定を行う。図２のＵＥ１０５はさらに、測定ログ記録記憶２１５を含み、ＧＮＳＳプロセッサ２１０によって判定された位置測定（ならびにＵＥ１０５によって判定された他のＭＤＴ測定）のログを記録する（例えば、特定のフォーマットにおいて記憶する）。測定ログ記録記憶２１５は、以下により詳細に説明される、図７に例証される処理システム７００の揮発性メモリ７１８および／または大容量記憶デバイス７３０等、任意のタイプのメモリまたは記憶技術を使用して、実装することができる。測定ログ記録記憶２１５内のＭＤＴ測定ログ記録（任意のログ記録位置測定を含む）を報告するために、図２のＵＥ１０５は、測定報告プロセッサ２２０を含む。測定構成プロセッサ２０５、ＧＮＳＳプロセッサ２１０、測定ログ記録記憶２１５、および測定報告プロセッサ２２０の例示的実装ならびに動作は、後続図に例証され、以下により詳細に説明される。
【００１６】
位置測定を構成および処理するために、図１のセル１１０によって使用され得る、例示的ネットワーク要素３００のブロック図は、図３に例証される。例えば、ネットワーク要素３００は、セル１１０を実装する、ノード-ＢまたはｅＮＢ等の基地局内あるいはそれによって実装することができる。図３を参照すると、例証される実施例のネットワーク要素３００は、ＭＤＴ構成プロセッサ３０５を含み、ＧＮＳＳ処理を起動するための１つ以上の無線リンク失敗基準および／またはＧＮＳＳ処理を停止するための１つ以上の無線リンク失敗基準を含む、ＭＤＴ構成情報を準備し、ＵＥ１０５に送信する。ネットワーク要素３００はまた、ＭＤＴ報告プロセッサ３１０を含み、例えば、測定報告、ＲＲＣ信号伝達等を介して、ＭＤＴ測定報告／ログ（例えば、位置測定を含む）をＵＥ１０５から受信する。ネットワーク要素３００はさらに、ＭＤＴ測定ポストプロセッサ３１５を含み、さらなる処理のために、１つ以上のＵＥ（例えば、ＵＥ１０５を含む）から受信したＭＤＴ測定／ログ（例えば、位置測定を含む）をネットワークオペレータに転送する。ＭＤＴ構成プロセッサ３０５、ＭＤＴ報告プロセッサ３１０、およびＭＤＴ測定ポストプロセッサ３１５の例示的実装ならびに動作は、後続図に例証され、以下に詳細に説明される。
【００１７】
ＵＥ１０５を実装する例示的様式および図１のセル１１０が、図２-３に例証されたが、図２-３に例証される要素、プロセス、および／またはデバイスのうちの１つ以上は、組み合わせられる、分割される、再配列される、省略される、排除される、および／または任意の他の方法で実装されてもよい。さらに、例示的測定構成プロセッサ２０５、例示的ＧＮＳＳプロセッサ２１０、例示的測定ログ記録記憶２１５、例示的測定報告プロセッサ２２０、例示的ネットワーク要素３００、例示的ＭＤＴ構成プロセッサ３０５、例示的ＭＤＴ報告プロセッサ３１０、例示的ＭＤＴ測定ポストプロセッサ３１５、ならびに／あるいは、より一般的には、図２の例示的ＵＥ１０５および／または図３の例示的セル１１０は、ハードウェア、ソフトウェア、ファームウェアによって、ならびに／あるいはハードウェア、ソフトウェア、および／またはファームウェアの任意の組み合わせによって、実装されてもよい。したがって、例えば、例示的測定構成プロセッサ２０５、例示的ＧＮＳＳプロセッサ２１０、例示的測定ログ記録記憶２１５、例示的測定報告プロセッサ２２０、例示的ネットワーク要素３００、例示的ＭＤＴ構成プロセッサ３０５、例示的ＭＤＴ報告プロセッサ３１０、例示的ＭＤＴ測定ポストプロセッサ３１５、ならびに／あるいは、より一般的には、例示的ＵＥ１０５および／または例示的セル１１０のいずれも、１つ以上の回路、プログラマブルプロセッサ、特定用途向け集積回路（ＡＳＩＣ）、プログラマブル論理デバイス（ＰＬＤ）、および／またはフィールドプログラマブル論理デバイス（ＦＰＬＤ）等によって実装され得る。少なくともいくつかの例示的実装では、例示的ＵＥ１０５、例示的セル１１０、例示的測定構成プロセッサ２０５、例示的ＧＮＳＳプロセッサ２１０、例示的測定ログ記録記憶２１５、例示的測定報告プロセッサ２２０、例示的ネットワーク要素３００、例示的ＭＤＴ構成プロセッサ３０５、例示的ＭＤＴ報告プロセッサ３１０、および／または例示的ＭＤＴ測定ポストプロセッサ３１５のうちの少なくとも１つは、本明細書では、そのようなソフトウェアおよび／またはファームウェアを記憶する、メモリ、デジタル多用途ディスク（ＤＶＤ）、コンパクトディスク（ＣＤ）等の有形コンピュータ可読媒体を含むものと明示的に定義される。さらになお、図２の例示的ＵＥ１０５および／または図３の例示的セル１１０は、図２-３に例証されるものに加え、または代わりに、１つ以上の要素、プロセス、および／またはデバイスを含んでもよい、ならびに／あるいは例証される要素、プロセス、およびデバイスの一部または全部のうちの２つ以上を含んでもよい。
【００１８】
例示的ＵＥ１０５、例示的セル１１０-１２５、例示的測定構成プロセッサ２０５、例示的ＧＮＳＳプロセッサ２１０、例示的測定ログ記録記憶２１５、例示的測定報告プロセッサ２２０、例示的ネットワーク要素３００、例示的ＭＤＴ構成プロセッサ３０５、例示的ＭＤＴ報告プロセッサ３１０、および／または例示的ＭＤＴ測定ポストプロセッサ３１５を実装するために実行され得る、例示的プロセスを表す、流れ図は、図４-６に示される。これらの実施例では、各流れ図によって表されるプロセスは、図７に関連して後述される例示的処理システム７００に示される、プロセッサ７１２等のプロセッサによって実行するための機械可読命令を備える、１つ以上のプログラムによって実装されてもよい。代替として、図４-６の流れ図によって表されるプロセスのうちの１つ以上を実装する、プログラムまたは複数のプログラム全体および／またはその一部は、プロセッサ７１２以外のデバイス（例えば、コントローラおよび／または任意の他の好適なデバイス等）によって実行される、および／またはファームウェアまたは専用ハードウェア（例えば、ＡＳＩＣ、ＰＬＤ、ＦＰＬＤ、離散論理等によって実装される）内に内蔵され得る。また、図４-６の流れ図によって表されるプロセスのうちの１つ以上、またはその１つ以上の部分は、手動で実装されてもよい。さらに、例示的プロセスが、図４-６に例証される流れ図を参照して説明されるが、本明細書に説明される例示的方法および装置を実装するための多くの他の技法が、代替として、使用されてもよい。例えば、図４-６に例証される流れ図を参照して、ブロックの実行順序は、変更されてもよく、および／または説明されるブロックの数は、変更、排除、組み合わせ、および／または複数のブロックに細分割されてもよい。
【００１９】
前述のように、図４-６の例示的プロセスは、情報が、任意の持続時間の間、記憶される（例えば、長時間、恒久的に、短い瞬間、一時的にバッファするために、および／または情報のキャッシュのために）、ハードディスクドライブ、フラッシュメモリ、読取専用メモリ（ＲＯＭ）、ＣＤ、ＤＶＤ、キャッシュ、ランダムアクセスメモリ（ＲＡＭ）、および／または任意の他の記憶媒体等の有形コンピュータ可読媒体上に記憶される、符号化命令（例えば、コンピュータ可読命令）を使用して実装されてもよい。本明細書で使用されるように、用語「有形コンピュータ可読媒体」は、任意のタイプのコンピュータ可読記憶を含み、信号の伝搬を除くものと明示的に定義される。加えて、または代替として、図４-６の例示的プロセスは、情報が、任意の持続時間の間、記憶される（例えば、長時間、恒久的に、短い瞬間、一時的にバッファするために、および／または情報のキャッシュのために）、フラッシュメモリ、ＲＯＭ、ＣＤ、ＤＶＤ、キャッシュ、ランダムアクセスメモリ（ＲＡＭ）、および／または任意の他の記憶媒体等の非一時的コンピュータ可読媒体上に記憶される、符号化命令（例えば、コンピュータ可読命令）を使用して実装されてもよい。本明細書で使用されるように、用語「非一時的コンピュータ可読媒体」は、任意のタイプのコンピュータ可読記憶を含み、信号の伝搬を除くものと明示的に定義される。また、本明細書で使用されるように、用語「コンピュータ可読」および「機械可読」は、別様に示されない限り、均等物と見なされる。
【００２０】
図１-２のＵＥ１０５における位置測定起動の構成を含む、ＭＤＴ測定構成を実装するために実行され得る、例示的プロセス４００は、図４に例証される。前述した図を参照すると、図４のプロセス４００は、ブロック４０５において実行を開始し、そこで、ＵＥ１０５内に含まれる測定構成プロセッサ２０５が、前述のように、制御プレーン信号伝達および／またはユーザプレーン信号伝達を介して、ＭＤＴ構成情報をそのサービングセル１１０から受信する。ブロック４１０では、測定構成プロセッサ２０５は、独立位置測定を行うためのＧＮＳＳ処理を起動するために、ブロック４１０において受信したＭＤＴ構成情報内に提供される、１つ以上の無線リンク失敗基準を構成する。例えば、ブロック４１０において、測定構成プロセッサ２０５は、第１の規定された無線リンク失敗頻度を構成し、それ以上の時、ＵＥ１０５において、ＧＮＳＳ処理が、起動される。いくつかの実施例では、この第１の無線リンク失敗頻度は、無線リンク失敗の第１の数（例えば、Ｎ１）と、その間、少なくとも、無線リンク失敗の第１の数（例えば、Ｎ１）が、ＧＮＳＳ処理を起動するために、発生する必要がある、第１の時間周期（例えば、Ｔ１）として、ＭＤＴ構成情報内に規定される。
【００２１】
ブロック４１５では、測定構成プロセッサ２０５は、ＧＮＳＳ処理を停止し、独立位置測定を行うことを中止するために、ブロック４１５で受信されたＭＤＴ構成情報内に提供される、１つ以上の無線リンク失敗基準を構成する。例えば、ブロック４１５において、測定構成プロセッサ２０５は、第２の規定された無線リンク失敗頻度を構成し、それ以下の時、ＵＥ１０５において、ＧＮＳＳ処理が、停止される。いくつかの実施例では、この第２の無線リンク失敗頻度は、無線リンク失敗の第２の数（例えば、Ｎ２）と、その間、第２の数（例えば、Ｎ２）以下の無線リンク失敗が、発生する場合、ＧＮＳＳ処理を停止することができる、第２の時間周期（例えば、Ｔ２）として、ＭＤＴ構成情報内に規定される。ＧＮＳＳ処理を停止するための他の例示的基準／条件として、規定された起動周期の満了、別の無線アクセス技術（ＲＡＴ）へのハンドオーバの発生、別の公衆移動通信網（ＰＬＭＮ）への移動等が挙げられるが、それらに限定されない。
【００２２】
図１-２のＵＥ１０５において、位置測定処理を実装するために実行され得る、例示的プロセス５００が、図５に例証される。前述した図を参照すると、図５プロセス５００は、ブロック５０５において、実行を開始し、そこで、ＵＥ１０５は、ＧＮＳＳ処理の起動のための無線リンク失敗基準が満たされるかどうかを判定する（例えば、第１の規定された無線リンク失敗頻度に一致する、またはそれを超えるかどうかを判定することによって）。ＧＮＳＳ処理の起動のための無線リンク失敗基準が満たされる場合（ブロック５０５）、ブロック５１０において、ＵＥ１０５は、そのＧＮＳＳプロセッサ２１０を起動する。いくつかの実施例では、ＧＮＳＳプロセッサ２１０を起動するステップは、ＧＮＳＳプロセッサ２１０が、位置修正を試行することを可能にする（例えば、電源投入によって）。位置修正成功後、ＧＮＳＳプロセッサ２１０は、衛星を継続して追跡し、次の位置修正（例えば、後続無線リンク失敗が検出されると）が、短縮された待ち時間によって取得されることができるように、周期的に、後続位置修正を試行する。
【００２３】
いくつかの実施例では、ＧＮＳＳプロセッサ２１０が、起動後、位置測定を行うことを可能にするために要求される時間は、例えば、最後の位置修正以降の経過時間および／またはＵＥ１０５が移動した距離に依存する。言い換えると、起動時間は、ＧＮＳＳプロセッサ２１０内に記憶される衛星情報、タイミング情報等の最新度に依存し得る。そのような実施例では、ＧＮＳＳ処理の起動のための無線リンク失敗基準が満たされる場合、ＵＥ１０５はさらに、ＧＮＳＳプロセッサ２１０の起動が、その時点で必要とされるかどうか決定してもよい（例えば、ＧＮＳＳプロセッサ２１０内に記憶される情報が、陳腐化しており、したがって、ＧＮＳＳプロセッサ２１０が、「コールドスタート」を行うためにより時間を必要とするため）、または遅延させ、電力消費を低減させ、バッテリ寿命を節約することができる（例えば、ＧＮＳＳプロセッサ２１０内に記憶される情報が、最新であって、ＧＮＳＳプロセッサ２１０が、「ウォームスタート」または「ホットスタート」を行うことができることにより、あまり時間がかからないため）。
【００２４】
次に、ブロック５１５において、ＵＥ１０５は、別の無線リンク失敗が検出されるかどうか判定する。別の無線リンク失敗が検出される場合（ブロック５１５）、ブロック５２０において、ＵＥ１０５は、ＧＮＳＳプロセッサ２１０（ブロック５１０において起動された）を使用して、１つ以上の独立位置測定を行う。いくつかの実施例では、ＵＥ１０５が、独立位置測定の取得に成功する場合、ＵＥ１０５は、無線リンク失敗後、ネットワークとの再接続に応じて、ネットワークに送信される、ＲＲＣ接続設定完了メッセージ内に位置情報および関連付けられた近隣セル測定を含有する、無線リンク失敗報告の可用性を示すことができる。ネットワーク（例えば、無線ネットワークコントローラ（ＲＮＣ）、ｅＮＢ等を介して）は、例えば、ＵＥ情報要求手順を介して、ＵＥ１０５にクエリを行うことによって、示される無線リンク失敗報告（例えば、位置情報および近隣セル測定を含む）を読み出してもよい。ブロック５２５において、ＵＥ１０５は、ＧＮＳＳ処理の停止のための無線リンク失敗基準が満たされるかどうか判定する（例えば、第２の規定された無線リンク失敗頻度に一致する、またはそれを超えないかどうかを判定することによって）。ＧＮＳＳ処理の停止のための無線リンク失敗基準が満たされる場合（ブロック５２５）、ブロック５３０において、ＵＥ１０５は、そのＧＮＳＳプロセッサ２１０を停止する。
【００２５】
図１および３のサービングセル１１０におけるＭＤＴ測定構成および処理を実装するために実行され得る、例示的プロセス６００は、図６に例証される。前述した図を参照すると、図６のプロセス６００は、ブロック６０５において、実行を開始し、そこで、セル１１０を実装するネットワーク要素３００内に含まれる、ＭＤＴ構成プロセッサ３０５は、ＵＥ１０５に送信されるＭＤＴ構成情報内に含まれる、ＧＮＳＳ処理の起動のための無線リンク失敗基準を判定する（例えば、前述のように）。ブロック６１０において、ＭＤＴ構成プロセッサ３０５は、ＵＥ１０５に送信されるＭＤＴ構成情報内に含まれるＧＮＳＳ処理の停止のための無線リンク失敗基準を判定する（例えば、前述のように）。ブロック６１５において、ＭＤＴ構成プロセッサ３０５は、ＭＤＴ構成情報をＵＥ１０５に送信する。例えば、ＭＤＴ構成プロセッサ３０５は、制御プレーン信号伝達（例えば、１つ以上のＲＲＣメッセージを介して）および／またはユーザプレーンメッセージ（例えば、ＳＭＳメッセージ、電子メール、ＰＩＮメッセージ等）を使用して、ＭＤＴ構成情報をＵＥ１０５に送信することができる。その後、ブロック６２０において、セル１１０を実装する、ネットワーク要素３００内に含まれる、ＭＤＴ報告プロセッサ３１０は、ＵＥ１０５から、ブロック６１５で送信されたＭＤＴ構成情報に従って生成された位置測定を含む、ＭＤＴ測定を受信する。
【００２６】
図７は、本明細書に開示される装置および方法を実装することが可能である、例示的処理システム７００のブロック図である。処理システム７００は、例えば、サーバ、パーソナルコンピュータ、携帯情報端末（ＰＤＡ）、スマートフォン、インターネット機器、ＤＶＤプレーヤ、ＣＤプレーヤ、デジタルビデオレコーダ、パーソナルビデオレコーダ、セットトップボックス、または任意の他のタイプのコンピューティングデバイスであることができる。
【００２７】
本実施例のシステム７００は、汎用プログラマブルプロセッサ等のプロセッサ７１２を含む。プロセッサ７１２は、ローカルメモリ７１４を含み、ローカルメモリ７１４および／または別のメモリデバイス内に存在する符号化命令７１６を実行する。プロセッサ７１２は、とりわけ、図４-６に表されるプロセスを実装するための機械可読命令を実行してもよい。プロセッサ７１２は、Ｐｅｎｔｉｕｍ（登録商標）ファミリー、Ｉｔａｎｉｕｍ（Ｒ）ファミリー、および／またはＸＳｃａｌｅ（Ｒ）ファミリーからの１つ以上のＩｎｔｅｌ（Ｒ）マイクロプロセッサ、マイクロコントローラのＡＲＭ（Ｒ）および／またはＰＩＣ（Ｒ）ファミリーからの１つ以上のマイクロコントローラ等、任意のタイプの処理ユニットであってもよい。当然ながら、他のファミリーからの、他のプロセッサもまた、適切である。
【００２８】
プロセッサ７１２は、バス７２２を介して、揮発性メモリ７１８および不揮発性メモリ７２０を含む、メインメモリと通信する。揮発性メモリ７１８は、静的ランダムアクセスメモリ（ＳＲＡＭ）、同期動的ランダムアクセスメモリ（ＳＤＲＡＭ）、動的ランダムアクセスメモリ（ＤＲＡＭ）、ＲＡＭＢＵＳ動的ランダムアクセスメモリ（ＲＤＲＡＭ）、および／または任意の他のタイプのランダムアクセスメモリデバイスによって実装されてもよい。不揮発性メモリ７２０は、フラッシュメモリおよび／または任意の他の所望のタイプのメモリデバイスによって実装されてもよい。メインメモリ７１８、７２０へのアクセスは、典型的には、メモリコントローラ（図示せず）によって制御される。
【００２９】
処理システム７００はまた、インターフェース回路７２４を含む。インターフェース回路７２４は、Ｅｔｈｅｒｎｅｔ（登録商標）インターフェース、ユニバーサルシリアルバス（ＵＳＢ）、および／または第３世代入力／出力（３ＧＩＯ）インターフェース等の任意のタイプのインターフェース規格によって実装されてもよい。
【００３０】
１つ以上の入力デバイス７２６は、インターフェース回路７２４に接続される。入力デバイス７２６は、ユーザに、データおよびコマンドをプロセッサ７１２に入力可能にする。入力デバイスは、例えば、キーボード、マウス、タッチスクリーン、トラックパッド、トラックボール、アイソポイント、および／または音声認識システムによって実装することができる。
【００３１】
１つ以上の出力デバイス７２８もまた、インターフェース回路７２４に接続される。出力デバイス７２８は、例えば、ディスプレイデバイス（例えば、液晶ディスプレイ、ブラウン管ディスプレイ（ＣＲＴ））によって、プリンタによって、および／またはスピーカによって実装することができる。インターフェース回路７２４は、したがって、典型的には、グラフィックスドライバカードを含む。
【００３２】
インターフェース回路７２４はまた、モデムまたはネットワークインターフェースカード等の通信デバイスを含み、ネットワーク（例えば、Ｅｔｈｅｒｎｅｔ（登録商標）接続、デジタル加入者回線（ＤＳＬ）、電話回線、同軸ケーブル、携帯電話システム等）を介して、外部コンピュータとデータの交換を促進する。
【００３３】
処理システム７００はまた、ソフトウェアおよびデータを記憶するための１つ以上の大容量記憶デバイス７３０を含む。そのような大容量記憶デバイス７３０の実施例として、フロッピー（登録商標）ディスクドライブ、ハードドライブディスク、コンパクトディスクドライブ、およびデジタル多用途ディスク（ＤＶＤ）ドライブが挙げられる。大容量記憶デバイス７３０は、測定ログ記録記憶２１５を実装してもよい。代替として、揮発性メモリ７１８は、測定ログ記録記憶２１５を実装してもよい。
【００３４】
図７の処理システム等のシステム内に本明細書に説明される方法および／または装置を実装する代替として、本明細書に説明される方法および／または装置は、プロセッサおよび／またはＡＳＩＣ（特定用途向け集積回路）等の構造内に内蔵されてもよい。
【００３５】
いくつかの実施例では、ＵＥ１０５において、ＧＮＳＳ処理を起動するための無線リンク失敗基準（例えば、前述の第１の規定された無線リンク失敗頻度等）および／またはＵＥ１０５において、ＧＮＳＳ処理を停止するための無線リンク失敗基準（例えば、前述の第２の規定された無線リンク失敗頻度等）は、ネットワークによって信号伝達されることなく、ＵＥ１０５において構成することができる。そのような実施例では、ＧＮＳＳ処理を起動および／または停止するための無線リンク失敗基準は、ＵＥ１０５において事前に決定することができる（例えば、製造の際に、ハードコーディングする、構成データをダウンロードする等を介して）。
【００３６】
最後に、ある例示的方法、装置、および製造品が、本明細書に説明されたが、本特許の有効範囲は、それらに限定されない。対照的に、本特許は、文字通りまたは均等物の原理に基づいて、添付の請求項の範囲内に公平にある、全方法、装置、および製造品を網羅する。
【図１】
0005629006.tif 000002
【図２】
0005629006.tif 000003
【図３】
0005629006.tif 000004
【図４】
0005629006.tif 000005
【図５】
0005629006.tif 000006
【図６】
0005629006.tif 000007
【図７】
0005629006.tif 000008